(57)【要約】      （修正有）【課題】構造が比較的簡便で、迅速かつ便利に製造でき、透明絶縁外殻のコストを節約できる、発光可能なケーブルを提供する。【解決手段】発光可能なケーブルは主に、少なくとも１つの導電部材１と、該導電部材上を被覆する導光部材２と、該導光部材２の一端に設置されたアダプタ部材３と、該導光部材２の一端に設置され、かつ該アダプタ部材３に電気的に接続された少なくとも１つの発光部材４を含み、該導光部材２が、該導電部材１を被覆する導光部と、該導光部の外層に形成された反射部を含み、該導電部材１の一端が該アダプタ部材３上に穿設され、使用者がアダプタ部材３を電源に接続すると、電源が導電部材１及び発光部材４中に導入され、導電部材１を介して電源または信号を伝送でき、また発光部材４が光源を発生し、導光部と反射部の組み合わせにより光源を導光部材２の他方の一端へ伝導でき、その構造が簡便で、ケーブルに迅速に電源または信号の伝送と発光の効果を具備させることができる。【選択図】図１
0003221525.tif 000002
【実用新案登録請求の範囲】
【請求項１】
発光可能なケーブルであって、主に、少なくとも１つの導電部材と、導光部材と、アダプタ部材と、少なくとも１つの発光部材を含み、
該導光部材が該導電部材上を被覆し、かつ両端が該導光部材の外部に穿出され、該導光部材が、該導電部材を被覆する導光部と、該導光部の外層に定義された反射部を含み、該反射部が該導光部内の光源の一部を該導光部内に留め、
該アダプタ部材が該導光部材の一端に設置され、かつ該導電部材の一端が該アダプタ部材上に穿設され、
該少なくとも１つの発光部材が該導光部材の少なくとも１つの端部に設置され、かつ該アダプタ部材に電気的に接続される、
ことを特徴とする、発光可能なケーブル。
【請求項２】
前記アダプタ部材が第１端子部材に連結されることを特徴とする、請求項１に記載の発光可能なケーブル。
【請求項３】
前記導光部材の該アダプタ部材から遠い一端に第２端子部材が設置され、かつ該第２端子部材が該導電部材に電気的に接続されることを特徴とする、請求項２に記載の発光可能なケーブル。
【請求項４】
前記アダプタ部材が基板と、アセンブリを含み、該基板が該導光部材の一端に設置され、かつ該導電部材と電気的に接続され、該アセンブリが該基板上に設置され、かつ該基板及び該発光部材と電気的に接続されることを特徴とする、請求項１に記載の発光可能なケーブル。
【請求項５】
前記導光部材上に反射層を設けることができることを特徴とする、請求項１に記載の発光可能なケーブル。
【請求項６】
前記反射層の材質が含フッ素ポリマーであることを特徴とする、請求項５に記載の発光可能なケーブル。
【請求項７】
前記導光部材の材質が樹脂共重合体であることを特徴とする、請求項１に記載の発光可能なケーブル。
【考案の詳細な説明】
【技術分野】
【０００１】
本考案は発光可能なケーブルに関し、特に、迅速かつ便利に製造でき、コストを節約できる、発光可能なケーブルに関する。
【背景技術】
【０００２】
現今の無線伝送技術は以前に比べずっと進歩しているが、現時点では効率またはコストの問題のどちらをとっても、無線伝送技術で従来のケーブルを完全に置き換えることはできないため、ほとんどの電子製品は電源と信号の伝送にやはりケーブルを使用する必要がある。
【０００３】
しかしながら、ケーブルは折り曲げたり揺動したりする状態に置かれやすいため、最もよく破損が生じる場所であり、ケーブルの破損は内部の芯線が断裂して円滑に伝導されず、電源や信号の完全な伝送ができなくなる場合がほとんどであるが、ケーブルの多くが光を透過しない絶縁層で外部が被覆されているため、内部の電線の状態を観察することができず、ケーブルが破損しているか否かが非常に分かりにくい。
【０００４】
このため、絶縁層を透光性の材質とし、内部に光ファイバーとＬＥＤを設置することで、光源があるか否かに基づきケーブルに破損があるか否かを判断することができ、同時にその観賞性を高めることができるものが考案されているが、この方法は透明絶縁外殻を先に製造してから、光ファイバーと電線を入れる必要があり、製造に手間がかかって不便である。
【考案の概要】
【考案が解決しようとする課題】
【０００５】
本考案の主な目的は、導電部材を導光部材内に設置し、同時に導光部材を利用して光線の導引と電源または信号の伝送を行うことができ、構造が比較的簡便であるため、迅速かつ便利に製造でき、透明絶縁外殻のコストを節約できる、発光可能なケーブルを提供することにある。
【課題を解決するための手段】
【０００６】
以下この考案について説明する。請求項１に記載する本考案の発光可能なケーブルは、主に、少なくとも１つの導電部材と、導光部材と、アダプタ部材と、少なくとも１つの発光部材を含み、該導光部材が該導電部材上を被覆し、かつ両端が該導光部材の外部に穿出され、該導光部材が、該導電部材を被覆する導光部と、該導光部の外層に定義された反射部を含み、該反射部が該導光部内の光源の一部を該導光部内に留め、該アダプタ部材が該導光部材の一端に設置され、かつ該導電部材の一端が該アダプタ部材上に穿設され、該少なくとも１つの発光部材が該導光部材の少なくとも１つの端部に設置され、かつ該アダプタ部材に電気的に接続される。
【０００７】
請求項２に記載する発光可能なケーブルは、請求項１における該アダプタ部材が第１端子部材に連結される。
【０００８】
請求項３に記載する発光可能なケーブルは、請求項２における該前記導光部材の該アダプタ部材から遠い一端に第２端子部材が設置され、かつ該第２端子部材が該導電部材に電気的に接続される。
【０００９】
請求項４に記載する発光可能なケーブルは、請求項１における該前記アダプタ部材が基板と、アセンブリを含み、該基板が該導光部材の一端に設置され、かつ該導電部材と電気的に接続され、該アセンブリが該基板上に設置され、かつ該基板及び該発光部材と電気的に接続される。
【００１０】
請求項５に記載する発光可能なケーブルは、請求項１における該前記導光部材上に反射層を設けることができる。
【００１１】
請求項６に記載する発光可能なケーブルは、請求項5における該反射層の材質が含フッ素ポリマーである。
【００１２】
請求項７に記載する発光可能なケーブルは、請求項１における該導光部材の材質が樹脂共重合体である。
【考案の効果】
【００１３】
上述の構造により、使用者は導電部材を直接導光部材内に設置し、導光部材の一端にアダプタ部材及び発光部材を連結することで、アダプタ部材を利用して電源を発光部材中に導入し、さらに導光部と反射部により発光部材が発する光源を導光部材の他方の一端へ伝導し、信号または電源も導電部材を介して他方の一端へ伝送され、構造が簡便であるため製造も便利であり、迅速にケーブルに発光効果を具備させることができ、かつ透明絶縁外殻を省くことができるため、コスト節約の効果を達することができる。
【００１４】
上述の技術により、本考案は発光効果を備えたケーブルの製造に手間がかかるという問題点を打破し、上述の利点を達成することができ、実用性と進歩性を備えている。
【図面の簡単な説明】
【００１５】
【図１】本考案の最良の実施例の立体透視図である。
【図２】本考案の最良の実施例の別の角度の立体図である。
【図３】本考案の最良の実施例の図１のＡ−Ａ線での断面図である。
【図４】本考案の最良の実施例の接続を示す立体図である。
【図５】本考案の最良の実施例の使用状態を示す立体図である。
【図６】本考案の最良の実施例の屈折を示す概略図である。
【図７】本考案の別の最良の実施例の接続を示す立体図である。
【図８】本考案の別の最良の実施例の使用状態を示す立体図である。
【考案を実施するための形態】
【実施例１】
【００１６】
図１から図３に示す本考案の最良の実施例の立体透視図から、図１のＡ−Ａ線での断面図までを参照する。これらの図からはっきりと分かるように、本考案の発光可能なケーブルは、２つの導電部材１と、導光部材２と、アダプタ部材３と、発光部材４を含む。そのうち、導光部材２は導電部材１の外側を被覆し、かつ導電部材１の両端が導光部材２の外部に穿出され、導光部材２の材質は樹脂共重合体とすることができ、本実施例ではポリメタクリル酸メチル樹脂を例とするが、これに限らず、その他の樹脂共重合体も保護範囲に含まれ、かつ材質の関係により、導光部材２の内部に導電部材１を被覆する導光部２１が形成され、かつ導光部２１の外層に反射部２２が定義され、導光部２１は光源を伝送でき、反射部２２は光源の一部を導光部２１内に遮ることができる。
【００１７】
発光部材４は導光部材２の一端に設置され、本実施例においてはＬＥＤであり、かつアダプタ部材３に電気的に接続される。
【００１８】
アダプタ部材３は導光部材２の一端に設置され、かつ導電部材１の一端がアダプタ部材３上に穿設される。アダプタ部材３は基板３１と、アセンブリ３２を含み、基板３１が導光部材２の一端に設置され、導電部材１が基板３１に穿設され、アセンブリ３２が基板３１上に設置され、かつ基板３１と発光部材４が電気的に接続される。
【００１９】
上述の説明により、本技術の構造が理解されるであろう。この構造に基づいて、ケーブルを迅速かつ便利に製造でき、同時に電源または信号の伝送及び発光の効果を具備させることができる。以下で詳細に説明する。
【００２０】
図１から図６に示す本考案の最良の実施例の立体透視図から屈折を示す概略図までを参照する。上述の部材の組立て時、図からはっきりと分かるように、使用者は導光部材２で導電部材１上を被覆し、かつ一端にアダプタ部材３を連結し、さらに発光部材４をアダプタ部材３上に設置するが、このような構造は従来の発光ケーブルの構造よりも簡便であるため、より迅速かつ便利に製造することができる。
【００２１】
本実施例において、使用者はアダプタ部材３を第１端子部材５上に連結し、第１端子部材５がアセンブリ３２及び導電部材１を電気的に接続する。本実施例において第１端子部材５は電源プラグであるが、これに限らず、ＵＳＢコネクタやその他のプラグとしてもよい。第１端子部材５をコンセントに接続し、これにより電源または信号をアダプタ部材３及び導電部材１中に導入した後、アセンブリ３２が発光部材４に適した電圧に電圧を調整してから、発光部材４中に伝導する。このとき発光部材４が光源を発生し、導光部２１及び反射部２２の組み合わせにより、光源を導光部材２の他方の一端まで伝導する。同時に、導電部材１も電源または信号を他方の一端まで伝送し、ケーブルに光源の伝導と電源または信号の伝導を同時に行わせることができ、また従来の透明外殻を使用する必要がないため、コスト節約の効果を達成することができる。
【実施例２】
【００２２】
図７と図８に示す本考案の別の最良の実施例の接続を示す立体図と使用状態を示す立体図を参照する。これらの図からはっきりと分かるように、本実施例は上述の実施例とほぼ同じであるが、導光部材２ａの他端に第２端子部材６ａが設けられており、かつ本実施例において導電部材１ａは数量が１つ、発光部材４ａは数量が２つであり、さらに導光部材２ａの外側に反射層２３ａが設けられ、反射層２３ａの材質が含フッ素ポリマーであり、本実施例はポリテトラフルオロエチレンを例とするが、これに限らず、他の含フッ素ポリマーもすべて保護の範囲に含まれ、反射層２３ａは光源の反射効果を強化し、それにより導光部材２ａ内の光源をより完全に保ち、より遠くまで光源を伝達することができる。
【００２３】
本実施例において、第２端子部材６ａは携帯電話に接続して充電できるコネクタであるが、これに限らず、ＵＳＢコネクタ等電子製品のコネクタとしてもよく、これにより第２端子部材６ａから電源または信号を携帯電話内に伝送することができる。
【００２４】
以上の説明は本考案の最良の実施例を示したものであり、これによって本考案の特許範囲が限定されることはなく、本考案の明細書及び図面の内容を運用した簡易な修飾及び同等効果の構造変化はいずれも本考案の範囲内に含まれる。
【００２５】
このように、本考案の発光可能なケーブルは次を重点として従来の技術を改善することができる。
【００２６】
導電部材１を導光部材２内に直接設置することで、透明外殼のコストを省き、コスト節約の効果を達成し、かつ構造が簡単であるため、より便利で迅速に製造することができる。
【符号の説明】
【００２７】
１、１ａ  導電部材 
２、２ａ  導光部材
２１      導光部
２２      反射部
２３ａ    反射層
３        アダプタ部材
３１      基板
３２      アセンブリ
４、４ａ  発光部材
５        第１端子部材
６ａ      第２端子部材
【図１】
0003221525.tif 000003
【図２】
0003221525.tif 000004
【図３】
0003221525.tif 000005
【図４】
0003221525.tif 000006
【図５】
0003221525.tif 000007
【図６】
0003221525.tif 000008
【図７】
0003221525.tif 000009
【図８】
0003221525.tif 000010